【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
整った画像表示を行うためにコンピュータが実行する方法であって、
前記画像表示用のディジタルテンプレートを準備するステップであって、前記ディジタルテンプレートは複数の窓部を有し、前記複数の窓部の各々は少なくとも１つの属性条件を有し、前記ディジタルテンプレートは前記コンピュータによりアクセス可能なディジタルメモリに格納されている、ステップと、
前記コンピュータによりアクセス可能な前記メモリに格納されている画像のデータベースを自動検索するステップであって、前記画像の各々は前記コンピュータによりアクセス可能な前記メモリに格納されている対応する少なくとも１つの画像属性を有し、前記ディジタルテンプレートの前記窓部の少なくとも１つに置く少なくとも１つの画像を見出し、該少なくとも１つの画像の各々は１つ以上の前記窓部の属性条件を満たしている、ステップと、
前記少なくとも１つの画像の中で顔を識別するステップであって、前記顔の幅を識別しかつ識別された該幅を前記画像の一次測定単位として設定するステップと、
を有する方法。
【請求項２】
整った画像表示を行うコンピュータシステムであって、
前記画像表示用のディジタルテンプレートを有する格納領域であって、前記ディジタルテンプレートは複数の窓部を有し、前記複数の窓部の各々は各自に関連して格納された少なくとも１つの属性条件を有する、格納領域と、
当該コンピュータシステムによりアクセス可能な画像のデータベースであって、前記画像の各々は各自に対応する少なくとも１つの画像属性を有する、データベースと、
プロセッサと
を有し、前記プロセッサは、前記ディジタルテンプレートの前記窓部の少なくとも１つに置く少なくとも１つの画像を見出すために前記画像のデータベースを自動検索し、該少なくとも１つの画像の各々は前記窓部の少なくとも１つの属性条件を満たし、
前記プロセッサは、対象の高さ又は幅を識別し、識別された前記高さ又は幅を前記画像の一次測定単位として設定する、
コンピュータシステム。
【請求項３】
前記少なくとも１つの画像の中で予め選択されている２点間の距離が、前記一次測定単位の１つ分の距離に近くなるまで、前記少なくとも１つの画像について選択的にズームを行うステップを更に有する請求項１記載の方法。
【請求項４】
前記少なくとも１つの画像の中で予め選択されている２点間の距離が、前記一次測定単位の所定の割合に近くなるまで、前記少なくとも１つの画像について選択的にズームを行うステップを更に有する請求項１記載の方法。
【請求項５】
前記少なくとも１つの画像の中で予め選択されている２点間の距離が、前記一次測定単位の所定数倍に近くなるまで、前記少なくとも１つの画像について選択的にズームを行うステップを更に有する請求項１記載の方法。
【請求項６】
前記少なくとも１つの画像の中で予め選択されている２点のうち一方は前記画像の左端の点であり、前記少なくとも１つの画像の中で予め選択されている２点のうち他方は前記画像の右端の点である、請求項５記載の方法。
【請求項７】
識別された顔と前記少なくとも１つの画像の端との間の距離が、前記一次測定単位の約１つ分の距離、前記一次測定単位１つ分の所定の割合又は前記一次測定単位の所定数倍になるように、前記少なくとも１つの画像を選択的に切除するステップを更に有する請求項１記載の方法。
【請求項８】
前記プロセッサは、前記少なくとも１つの画像の中で予め選択されている２点間の距離が、前記一次測定単位の１つ分の距離に近くなるまで、前記少なくとも１つの画像について選択的にズームを行う、請求項２記載の方法。
【請求項９】
前記プロセッサは、前記少なくとも１つの画像の中で予め選択されている２点間の距離が、前記一次測定単位の所定の割合に近くなるまで、前記少なくとも１つの画像について選択的にズームを行う、請求項２記載の方法。
【請求項１０】
前記プロセッサは、前記少なくとも１つの画像の中で予め選択されている２点間の距離が、前記一次測定単位の所定数倍に近くなるまで、前記少なくとも１つの画像について選択的にズームを行う、請求項２記載の方法。
【請求項１１】
前記少なくとも１つの画像の中で予め選択されている２点のうち一方は前記画像の左端の点であり、前記少なくとも１つの画像の中で予め選択されている２点のうち他方は前記画像の右端の点である、請求項１０記載の方法。
【請求項１２】
前記プロセッサは、
前記少なくとも１つの画像の中で人間の顔を識別し、及び
識別された人間の顔と前記少なくとも１つの画像の端との間の距離が、前記一次測定単位の約１つ分の距離、前記一次測定単位１つ分の所定の割合又は前記一次測定単位の所定数倍になるように、前記少なくとも１つの画像を選択的に切除する、請求項２記載の方法。
【請求項１３】
整った画像表示を行うためにコンピュータが実行する方法であって、
前記画像表示用のディジタルテンプレートを準備するステップであって、前記ディジタルテンプレートは複数の窓部を有し、前記複数の窓部の各々は少なくとも１つの属性条件を有し、前記ディジタルテンプレートは前記コンピュータによりアクセス可能なディジタルメモリに格納されている、ステップと、
前記コンピュータによりアクセス可能な前記メモリに格納されている画像のデータベースを自動検索するステップであって、前記画像の各々は前記コンピュータによりアクセス可能な前記メモリに格納されている対応する少なくとも１つの画像属性を有し、前記ディジタルテンプレートの前記窓部の少なくとも１つに置く少なくとも１つの画像を見出し、該少なくとも１つの画像の各々は１つ以上の前記窓部の属性条件を満たしている、ステップと、
前記少なくとも１つの画像の中で対象を識別するステップであって、前記対象の高さ又は幅を識別しかつ識別された該高さ又は幅を前記画像の一次測定単位として設定するステップと、
を有する方法。
【請求項１４】
前記少なくとも１つの画像の中で予め選択されている２点間の距離が、前記一次測定単位の１つ分の距離に近くなるまで、前記少なくとも１つの画像について選択的にズームを行うステップを更に有する請求項１３記載の方法。
【請求項１５】
前記少なくとも１つの画像の中で予め選択されている２点間の距離が、前記一次測定単位の所定の割合に近くなるまで、前記少なくとも１つの画像について選択的にズームを行うステップを更に有する請求項１３記載の方法。
【請求項１６】
前記少なくとも１つの画像の中で人間の顔を識別するステップと、
識別された人間の顔と前記少なくとも１つの画像の端との間の距離が、前記一次測定単位の約１つ分の距離、前記一次測定単位１つ分の所定の割合又は前記一次測定単位の所定数倍になるように、前記少なくとも１つの画像を選択的に切除する、請求項１３記載の方法。
【請求項１７】
前記少なくとも１つの画像の中で予め選択されている２点間の距離が、前記一次測定単位の所定数倍に近くなるまで、前記少なくとも１つの画像について選択的にズームを行うステップを更に有する請求項１３記載の方法。
【請求項１８】
前記少なくとも１つの画像の中で予め選択されている２点のうち一方は前記画像の左端の点であり、前記少なくとも１つの画像の中で予め選択されている２点のうち他方は前記画像の右端の点である、請求項１７記載の方法。
【手続補正２】
【補正対象書類名】明細書
【補正対象項目名】発明の名称
【補正方法】変更
【補正の内容】
【発明の名称】画像表示を行うための方法コンピュータシステム